(57)【要約】【課題】暗所でも視認することができ、安価な光る付け爪を提供すること。【解決手段】付け爪１は、人爪に沿った形状を有する付け爪部材２と、付け爪部材の裏面に貼り付けられた薄板状電池３と、薄板状電池のプラス電極３ｂと電気的に接続され得る、付け爪部材の表面に露出しているプラス電極配線５と、薄板状電池のマイナス電極３ａと電気的に接続され得る、付け爪部材の表面に露出しているマイナス電極配線４とを備える。付け爪１の表面には、プラス電極配線に電気的に接続可能なＬＥＤ側プラス電極１０とマイナス電極配線に電気的に接続可能なＬＥＤ側マイナス電極１１とを裏面に露出させており、ＬＥＤ８を発光させるための回路を内蔵した少なくとも一以上の発光部材６が接着される。【選択図】図１
2009268893.tif 000002
【特許請求の範囲】
【請求項１】
人爪に沿った形状を有する付け爪部材と、
前記付け爪部材の裏面に貼り付けられた薄板状電池と、
前記薄板状電池のプラス電極と電気的に接続され得る、前記付け爪部材の表面に露出しているプラス電極配線と、
前記薄板状電池のマイナス電極と電気的に接続され得る、前記付け爪部材の表面に露出しているマイナス電極配線とを備える、付け爪。
【請求項２】
前記プラス電極配線に電気的に接続可能なＬＥＤ側プラス電極と前記マイナス電極配線に電気的に接続可能なＬＥＤ側マイナス電極とを裏面に露出させており、ＬＥＤを発光させるための回路を内蔵した少なくとも一以上の発光部材をさらに備え、
前記発光部材は、前記付け爪部材の表面に接着可能であることを特徴とする、請求項１に記載の付け爪。
【請求項３】
前記プラス電極配線と前記マイナス電極配線とは、交差しないように交互に形成された櫛状の配線であることを特徴とする、請求項２に記載の付け爪。
【請求項４】
前記ＬＥＤ側プラス電極及び前記ＬＥＤ側マイナス電極の長さは、隣接する前記プラス電極配線と前記マイナス電極配線との間隔よりも短いことを特徴とする、請求項３に記載の付け爪。
【請求項５】
所定の条件で前記ＬＥＤを光らせることができるセンサ部をさらに備えることを特徴とする、請求項２に記載の付け爪。
【請求項６】
前記プラス電極又は前記マイナス電極のいずれか一方と電気的に接続され、前記付け爪部材の裏面に露出している裏面側電極配線をさらに備え、
前記裏面側電極配線と前記プラス電極配線又は前記マイナス電極配線のいずれか一方とは、電気的に分断されていることを特徴とする、請求項１又は２に記載の付け爪。
【請求項７】
前記裏面側電極配線と前記プラス電極配線又は前記マイナス電極配線のいずれか一方とを電気的に分断する分断部分は、導電性塗料又は導電性シールによって、発光時に電気的に接続され得ることを特徴とする、請求項６に記載の付け爪。
【請求項８】
前記付け爪部材の裏面と略同一の形状で湾曲しており、前記裏面側電極配線と前記プラス電極配線又は前記マイナス電極配線のいずれか一方とを電気的に分断する分断部分に対応する箇所に導電性材料を露出している導電確認台をさらに備える、請求項６に記載の付け爪。
【請求項９】
前記付け爪部材は、表面に、凹部を含み、
前記発光部材は、裏面に、前記凹部に嵌合可能な凸部を含み、
前記凹部と前記凸部とは、方向性を有することを特徴とする、請求項２に記載の付け爪。
【請求項１０】
前記付け爪部材及び前記発光部材は、それぞれ、前記プラス電極配線又は前記マイナス電極配線のいずれか一方を示す目印を含み、
前記付け爪部材に設けられた目印が示す配線に、前記発光部材に設けられた目印を対応付けるように、前記発光部材を前記付け爪部材に接着させることによって、前記プラス電極配線と前記ＬＥＤ側プラス電極とが接続され、かつ、前記マイナス電極配線と前記ＬＥＤ側マイナス電極とが接続されることを特徴とする、請求項２に記載の付け爪。
【請求項１１】
前記付け爪部材は、前記発光部材を接着させることができる位置を示す目印を含むことを特徴とする、請求項２に記載の付け爪。
【請求項１２】
一組の前記プラス電極配線及び前記マイナス電極配線を露出させる型紙をさらに備えることを特徴とする、請求項２に記載の付け爪。
【請求項１３】
前記発光部材は、前記ＬＥＤ側プラス電極及び前記ＬＥＤ側マイナス電極を露出させる台紙部材に取り付けられており、
前記台紙部材は、前記プラス電極配線及び前記マイナス電極配線を示す目印を含むことを特徴とする、請求項２に記載の付け爪。
【請求項１４】
前記プラス電極配線及び前記マイナス電極配線は、略並行に配線された二本の配線であって、
前記発光部材は、前記ＬＥＤ側プラス電極及び前記ＬＥＤ側マイナス電極を露出させる台紙部材に取り付けられており、
前記台紙部材は、露出している前記ＬＥＤ側プラス電極と前記プラス電極配線とを電気的に接続可能な配線を裏面に含み、かつ、露出している前記ＬＥＤ側マイナス電極と前記マイナス電極配線とを電気的に接続可能な配線を裏面に含むことを特徴とする、請求項２に記載の付け爪。
【請求項１５】
前記薄板状電池は、前記付け爪部材から取り外し可能であることを特徴とする、請求項１又は２に記載の付け爪。
【請求項１６】
前記薄板状電池の前記プラス電極又は前記マイナス電極は、電池交換の回数に応じて、異なる位置に、前記薄板状電池から露出しており、
さらに、電池交換の回数に応じて、前記プラス電極又は前記マイナス電極と電気的に接続される複数の裏面側電極配線を備え、
前記複数の裏面側電極配線と前記プラス電極配線又は前記マイナス電極配線とは、初期段階で電気的に分断されていることを特徴とする、請求項１５に記載の付け爪。
【請求項１７】
前記薄板状電池の電極は、絶縁タグを挿入することによって絶縁されることを特徴とする、請求項１又は２に記載の付け爪。
【請求項１８】
前記付け爪部材、前記プラス電極配線、及び前記マイナス電極配線は、マニキュアで上から塗装可能な材質であることを特徴とする、請求項１又は２に記載の付け爪。
【請求項１９】
前記プラス電極配線及び前記マイナス電極配線は、導電性塗料によって形成されていることを特徴とする、請求項１〜１８のいずれかに記載の付け爪。
【請求項２０】
前記導電性塗料の配色は、前記付け爪部材の配色と略同一であることを特徴とする、請求項１９に記載の付け爪。
【請求項２１】
人爪に沿った形状を有する付け爪部材と、前記付け爪部材の裏面に貼り付けられた薄板状電池と、前記薄板状電池のプラス電極と電気的に接続され得る、前記付け爪部材の表面に露出しているプラス電極配線と、前記薄板状電池のマイナス電極と電気的に接続され得る、前記付け爪部材の表面に露出しているマイナス電極配線とを備える付け爪に対して、接続される発光部材であって、
裏面に露出しており、前記プラス電極配線に電気的に接続可能なＬＥＤ側プラス電極と、
裏面に露出しており、前記マイナス電極配線に電気的に接続可能なＬＥＤ側マイナス電極と、
ＬＥＤを発光させるための回路とを備え、
前記付け爪部材の表面に接着可能であることを特徴とする、発光部材。
【請求項２２】
人爪に沿った形状を有する付け爪部材と、前記付け爪部材の表面に露出しているプラス電極配線と、前記付け爪部材の表面に露出しているマイナス電極配線とを備える付け爪に対して、前記プラス電極配線及び前記マイナス電極配線に接続され得るプラス電極及びマイナス電極を備える薄板状電池であって、前記付け爪部材の裏面に、取り外し可能に接着されることを特徴とする、薄板状電池。
【請求項２３】
人爪に沿った形状を有する付け爪部材と、前記付け爪部材の裏面に貼り付けられた薄板状電池と、前記薄板状電池のプラス電極と電気的に接続され得る、前記付け爪部材の表面に露出しているプラス電極配線と、前記薄板状電池のマイナス電極と電気的に接続され得る、前記付け爪部材の表面に露出しているマイナス電極配線と、前記プラス電極又は前記マイナス電極のいずれか一方と電気的に接続され、前記付け爪部材の裏面に露出している裏面側電極配線とを備え、前記裏面側電極配線と前記プラス電極配線又は前記マイナス電極配線のいずれか一方とは、電気的に分断されている付け爪に対して、接続された発光部材が光るか否かを確認するための導電確認台であって、
前記付け爪部材の裏面と略同一の形状で湾曲しており、前記裏面側電極配線と前記プラス電極配線又は前記マイナス電極配線のいずれか一方とを電気的に分断する分断部分に対応する箇所に導電性材料を露出していることを特徴とする、導電確認台。
【請求項２４】
人爪に沿った形状を有する付け爪部材と、前記付け爪部材の裏面に貼り付けられた薄板状電池と、前記薄板状電池のプラス電極と電気的に接続され得る、前記付け爪部材の表面に露出しているプラス電極配線と、前記薄板状電池のマイナス電極と電気的に接続され得る、前記付け爪部材の表面に露出しているマイナス電極配線とを備える付け爪に対して、塗装することができる導電性塗料を小瓶に収容した導通用塗料セット。
【請求項２５】
人爪に沿った形状を有する付け爪部材と、
前記付け爪部材の裏面に貼り付けられた薄板状電池と、
前記薄板状電池のプラス電極と電気的に接続され得るプラス電極配線と、
前記薄板状電池のマイナス電極と電気的に接続され得るマイナス電極配線と、
前記プラス電極配線及び前記マイナス電極配線と接続されて発光する発光部とを備える、付け爪。
【請求項２６】
前記付け爪部材は、導光板であり、
前記発光部は、発光ダイオードを含み、
前記発光ダイオードは、前記導光板の端部に設けられていることを特徴とする、請求項２５に記載の付け爪。
【請求項２７】
前記発光部は、有機ＥＬであり、
前記有機ＥＬは、前記付け爪部材と前記薄板状電池との間に配置されていることを特徴とする、請求項２５に記載の付け爪。
【発明の詳細な説明】
【技術分野】
【０００１】
本発明は、付け爪に関し、より特定的には、光る付け爪に関する。
【背景技術】
【０００２】
近年、若い女性の間で、付け爪が流行している。付け爪は、硬質合成樹脂等で成形された本体の表面に、所望の着色、絵柄、模様、色彩、図形、キャラクター等を、成形時点や成形後の印刷、手描き等により付したものである。付け爪は、両面テープや接着剤等で、爪の表面に貼り付けられる。付け爪は非常に目立つものであるので、遊び感覚やファッション感覚等を追求することが求められる場合がある。
【０００３】
このような状況の下、たとえば、特許文献１及び２には、携帯電話が出力する電波に反応して光る付け爪が提案されている。特許文献１及び２に記載の付け爪は、携帯電話が出力する電波を整流して、内蔵されているＬＥＤを電池レスで光らせることができる。
【０００４】
特許文献３に記載の人工指頭は、電池と電球を内蔵しており、指先に取り付けられる。当該電球が光ることによって、付け爪に施されたネイルアートを暗所でも楽しむことができる。
【０００５】
特許文献４には、指先に付けられる位に小さい発光体と電源を、指先の腹側から指に向かって発光するように付けることで、爪を明るくライトアップするアイテムが開示されている。
【０００６】
特許文献５には、爪に装着し、表面に色、模様を変更する表示部を有し、この表示部を電磁手段等により、変更してその模様を保持する付け爪が開示されている。たとえば、表示部は、帯電しかつ着色した粒子を表面に有する複数のマイクロカプセルを浮遊させている。表示部に対して、書き込み部から電界を加え、マイクロカプセルの向きを制御することによって、表示部に所望の絵柄を表示させることができる。
【０００７】
特許文献６に記載の付け爪装置は、画像を表示する薄板状の表示層と、表示層に駆動電力を供給する薄板状の太陽電池層と、爪に着脱自在に設けられる薄板状のベース基板とを含む。ベース基板は、データ格納部と、表示制御回路と、太陽電池制御回路と、蓄電池とを含む。データ格納部に格納されているデータに基づいて、表示制御回路は、表示層に、所望の絵柄を表示させる。
【０００８】
特許文献７は、パワーペーパー社の薄板状の電池に関する文献である。
【先行技術文献】
【特許文献】
【０００９】
【特許文献１】登録実用新案第３０６６４５３号公報
【特許文献２】登録実用新案第３０６８４４４号公報
【特許文献３】特開２００１−１６１４３１号公報
【特許文献４】特開２００５−３４７２３０号公報
【特許文献５】特開２００６−２３０４３６号公報
【特許文献６】特開２００６−２６２９８２号公報
【特許文献７】特許第３５１２１１２号公報
【発明の概要】
【発明が解決しようとする課題】
【００１０】
特許文献１及び２に記載の付け爪は、携帯電話から電波が出力されたときのみ光る。したがって、携帯電話から電波が出力されない限り光らない。特許文献３に記載の人工指頭は、指先に取り付けるものであり、使い勝手が悪い。特許文献４に記載のアイテムも、指先に付けるものであり、使い勝手が悪い。特許文献５に記載の付け爪は、表示部の構成が特殊であり、実施化が困難である。また、特許文献５に記載の付け爪は、光らないので、暗所での視認には適さない。特許文献６に記載の付け爪は、画像を表示する表示層に加え、データ格納部や表示制御回路などを含んでおり、安価に提供されない。また、特許文献６に記載の付け爪は、光らないので、暗所での視認には適さない。
【００１１】
それゆえ、本発明の目的は、暗所でも視認することができ、安価な光る付け爪を提供することである。
【課題を解決するための手段】
【００１２】
上記改題を解決するために、本発明は、以下のような特徴を有する。本発明は、人爪に沿った形状を有する付け爪部材と、付け爪部材の裏面に貼り付けられた薄板状電池と、薄板状電池のプラス電極と電気的に接続され得る、付け爪部材の表面に露出しているプラス電極配線と、薄板状電池のマイナス電極と電気的に接続され得る、付け爪部材の表面に露出しているマイナス電極配線とを備える付け爪である。
【００１３】
本発明の付け爪は、プラス電極配線に電気的に接続可能なＬＥＤ側プラス電極とマイナス電極配線に電気的に接続可能なＬＥＤ側マイナス電極とを裏面に露出させており、ＬＥＤを発光させるための回路を内蔵した少なくとも一以上の発光部材をさらに備える。発光部材は、付け爪部材の表面に接着可能である。
【００１４】
好ましくは、プラス電極配線とマイナス電極配線とは、交差しないように交互に形成された櫛状の配線であるとよい。
【００１５】
好ましくは、ＬＥＤ側プラス電極及びＬＥＤ側マイナス電極の長さは、隣接するプラス電極配線とマイナス電極配線との間隔よりも短いとよい。
【００１６】
好ましくは、本発明の付け爪は、所定の条件でＬＥＤを光らせることができるセンサ部をさらに備えるとよい。
【００１７】
好ましくは、本発明の付け爪は、プラス電極又はマイナス電極のいずれか一方と電気的に接続され、付け爪部材の裏面に露出している裏面側電極配線をさらに備えとよい。裏面側電極配線とプラス電極配線又はマイナス電極配線のいずれか一方とは、電気的に分断されているとよい。
【００１８】
好ましくは、裏面側電極配線とプラス電極配線又はマイナス電極配線のいずれか一方とを電気的に分断する分断部分は、導電性塗料又は導電性シールによって、発光時に電気的に接続され得るとよい。
【００１９】
好ましくは、本発明の付け爪は、付け爪部材の裏面と略同一の形状で湾曲しており、裏面側電極配線とプラス電極配線又はマイナス電極配線のいずれか一方とを電気的に分断する分断部分に対応する箇所に導電性材料を露出している導電確認台をさらに備えるとよい。
【００２０】
好ましくは、付け爪部材は、表面に、凹部を含み、発光部材は、裏面に、凹部に嵌合可能な凸部を含むとよい。凹部と凸部とは、方向性を有するとよい。
【００２１】
好ましくは、付け爪部材及び発光部材は、それぞれ、プラス電極配線又はマイナス電極配線のいずれか一方を示す目印を含むとよい。付け爪部材に設けられた目印が示す配線に、発光部材に設けられた目印を対応付けるように、発光部材を付け爪部材に接着させることによって、プラス電極配線とＬＥＤ側プラス電極とが接続され、かつ、マイナス電極配線とＬＥＤ側マイナス電極とが接続されるとよい。
【００２２】
好ましくは、付け爪部材は、発光部材を接着させることができる位置を示す目印を含むとよい。
【００２３】
好ましくは、本発明の付け爪は、一組のプラス電極配線及びマイナス電極配線を露出させる型紙をさらに備えるとよい。
【００２４】
好ましくは、発光部材は、ＬＥＤ側プラス電極及びＬＥＤ側マイナス電極を露出させる台紙部材に取り付けられており、台紙部材は、プラス電極配線及びマイナス電極配線を示す目印を含むとよい。
【００２５】
好ましくは、プラス電極配線及びマイナス電極配線は、略並行に配線された二本の配線であって、発光部材は、ＬＥＤ側プラス電極及びＬＥＤ側マイナス電極を露出させる台紙部材に取り付けられており、台紙部材は、露出しているＬＥＤ側プラス電極とプラス電極配線とを電気的に接続可能な配線を裏面に含み、かつ、露出しているＬＥＤ側マイナス電極とマイナス電極配線とを電気的に接続可能な配線を裏面に含むとよい。
【００２６】
好ましくは、薄板状電池は、付け爪部材から取り外し可能であるとよい。
【００２７】
好ましくは、薄板状電池のプラス電極又はマイナス電極は、電池交換の回数に応じて、異なる位置に、薄板状電池から露出しているとよい。本発明の付け爪は、さらに、電池交換の回数に応じて、プラス電極又はマイナス電極と電気的に接続される複数の裏面側電極配線を備えるとよい。複数の裏面側電極配線とプラス電極配線又はマイナス電極配線とは、初期段階で電気的に分断されているとよい。
【００２８】
好ましくは、薄板状電池の電極は、絶縁タグを挿入することによって絶縁されるとよい。
【００２９】
好ましくは、付け爪部材、プラス電極配線、及びマイナス電極配線は、マニキュアで上から塗装可能な材質であるとよい。
【００３０】
好ましくは、プラス電極配線及びマイナス電極配線は、導電性塗料によって形成されているとよい。
【００３１】
好ましくは、導電性塗料の配色は、付け爪部材の配色と略同一であるとよい。
【００３２】
本発明の他の局面は、人爪に沿った形状を有する付け爪部材と、付け爪部材の裏面に貼り付けられた薄板状電池と、薄板状電池のプラス電極と電気的に接続され得る、付け爪部材の表面に露出しているプラス電極配線と、薄板状電池のマイナス電極と電気的に接続され得る、付け爪部材の表面に露出しているマイナス電極配線とを備える付け爪に対して、接続される発光部材であって、裏面に露出しており、プラス電極配線に電気的に接続可能なＬＥＤ側プラス電極と、裏面に露出しており、マイナス電極配線に電気的に接続可能なＬＥＤ側マイナス電極と、ＬＥＤを発光させるための回路とを備え、付け爪部材の表面に接着可能である。
【００３３】
本発明の他の局面は、人爪に沿った形状を有する付け爪部材と、付け爪部材の表面に露出しているプラス電極配線と、付け爪部材の表面に露出しているマイナス電極配線とを備える付け爪に対して、プラス電極配線及びマイナス電極配線に接続され得るプラス電極及びマイナス電極を備える薄板状電池であって、付け爪部材の裏面に、取り外し可能に接着される。
【００３４】
本発明の他の局面は、人爪に沿った形状を有する付け爪部材と、付け爪部材の裏面に貼り付けられた薄板状電池と、薄板状電池のプラス電極と電気的に接続され得る、付け爪部材の表面に露出しているプラス電極配線と、薄板状電池のマイナス電極と電気的に接続され得る、付け爪部材の表面に露出しているマイナス電極配線と、プラス電極又はマイナス電極のいずれか一方と電気的に接続され、付け爪部材の裏面に露出している裏面側電極配線とを備え、裏面側電極配線とプラス電極配線又はマイナス電極配線のいずれか一方とは、電気的に分断されている付け爪に対して、接続された発光部材が光るか否かを確認するための導電確認台であって、付け爪部材の裏面と略同一の形状で湾曲しており、裏面側電極配線とプラス電極配線又はマイナス電極配線のいずれか一方とを電気的に分断する分断部分に対応する箇所に導電性材料を露出している。
【００３５】
本発明の他の局面は、人爪に沿った形状を有する付け爪部材と、付け爪部材の裏面に貼り付けられた薄板状電池と、薄板状電池のプラス電極と電気的に接続され得る、付け爪部材の表面に露出しているプラス電極配線と、薄板状電池のマイナス電極と電気的に接続され得る、付け爪部材の表面に露出しているマイナス電極配線とを備える付け爪に対して、塗装することができる導電性塗料を小瓶に収容した導通用塗料セットである。
【００３６】
上記本発明は、あらゆる組み合わせを用いて、セット品として提供可能である。
【００３７】
本発明の他の局面は、人爪に沿った形状を有する付け爪部材と、付け爪部材の裏面に貼り付けられた薄板状電池と、薄板状電池のプラス電極と電気的に接続され得るプラス電極配線と、薄板状電池のマイナス電極と電気的に接続され得るマイナス電極配線と、プラス電極配線及びマイナス電極配線と接続されて発光する発光部とを備える付け爪である。
【００３８】
好ましくは、付け爪部材は、導光板であり、発光部は、発光ダイオードを含み、発光ダイオードは、導光板の端部に設けられているとよい。
【００３９】
好ましくは、発光部は、有機ＥＬであり、有機ＥＬは、付け爪部材と薄板状電池との間に配置されているとよい。
【発明の効果】
【００４０】
本発明によれば、付け爪の表面にプラス電極配線及びマイナス電極配線が露出することとなるので、これらの配線に、ＬＥＤを発光させる回路を取り付ければ、安価に光る付け爪を提供することが可能となる。本発明の発光部材は、ＬＥＤ側プラス電極及びＬＥＤ側マイナス電極を露出させた簡易な構成である。したがって、発光部材と組み合わせてセット販売される付け爪は、安価に提供されることとなる。発光部材が取り付けられた付け爪自体は、小型であるので、人爪に付けたとしても、従来の付け爪と比べ、デザイン性が劣るものではない。発光部材を付け爪の表面に接着するだけで、ＬＥＤを光らせることが可能であり、若い女性であっても、容易に光る付け爪を作ることができる。
【００４１】
プラス電極配線とマイナス電極配線とを交差しないように交互に形成された櫛状の配線とすることによって、好みの場所に発光部材を取り付けて、ＬＥＤを光らせることができ、オリジナリティを増すことができる。ＬＥＤ側プラス電極及びＬＥＤ側マイナス電極の長さを隣接するプラス電極配線とマイナス電極配線との間隔よりも短くすることによって、ＬＥＤ側プラス電極及びＬＥＤ側マイナス電極が、プラス電極配線とマイナス電極配線を短絡させる危険性がなくなり、故障が防止される。
【００４２】
所定の条件でＬＥＤを光らせることができるセンサ部を設けることによって、分断部分などを設けなくても、簡単にＬＥＤを光らせることができる。
【００４３】
逆に、分断部分を設けて、当該分断部分を導通させてＬＥＤを光らせる構成にすれば、センサ部を設ける場合に比べ、小型化が保たれ、かつ、安価な提供が可能となる。分断部分を導通させる部材として、導電性塗料や導電性シールを用いることができ、安価に導通を実現することができる。
【００４４】
導電確認台を用いれば、ＬＥＤが光るか否かを確認しながら、付け爪を作ることができ有用である。
【００４５】
凹部と凸部とを嵌め合わせることによって、接続ミスが防止される。また、各種目印や型紙を用いることによっても、接続ミスが防止される。発光部材を目印付きの台紙の上に設けて、台紙ごと発光部材を付け爪部材の表面に貼り付ければ、接続ミスが防止される。また、発光部材を裏面に配線を有する台紙の上に設けて、台紙ごと発光部材を付け爪部材の表面に貼り付ければ、接続ミスが防止される。
【００４６】
薄板状電池を付け爪部材から取り外し可能にすることによって、電池交換が可能となる。また、電池交換の回数に応じて異なる位置に配置された電極及び配線を利用すれば、分断部分を導電性塗料で塗布してしまったとしても、電池交換後、いきなりＬＥＤが光るということを防止することができる。結果、電池の消耗の防止に繋がる。また、絶縁タグを電池の電極に挿入すれば、電池の消耗を防止することができる。
【００４７】
付け爪部材、プラス電極配線、及びマイナス電極配線を、マニキュアで上から塗装可能な材質とすれば、発光部材の取り付け後、電極を絶縁することができ、故障の防止に繋がる。プラス電極配線及びマイナス電極配線を導電性塗料によって形成すれば、付け爪の曲面に適した配線を、安価に提供することができる。また、導電性塗料の配色を、付け爪部材の配色と略同一にすれば、デザイン性が向上する。
【００４８】
本発明の発光部材、薄板状電池、導電確認台、及び導通用塗料セットも、それ自体、製造されて、販売される対象となる。また、本発明のあらゆる組み合わせをワンセットにして、製造、販売することも可能である。
【００４９】
予め発光部が取り付けられている付け爪であれば、使用が容易となる。付け爪部材を導光板にしたり、発光部を有機ＥＬにすれば、付け爪部材が全体的に面発光し、装飾的効果が高くなる。
【００５０】
本発明のこれらおよび他の目的、特徴、局面、効果は、添付図面と照合して、以下の詳細な説明から一層明らかになるであろう。
【図面の簡単な説明】
【００５１】
【図１】本発明の実施形態に係る付け爪１の斜視図
【図２】付け爪１の平面図
【図３】付け爪１の底面図
【図４】図２におけるＡ−Ａ線での断面構造を示す概略図
【図５】図２におけるＢ−Ｂ線での断面構造を示す概略図
【図６】付け爪１に取り付けられる発光部材６の平面図
【図７】図６におけるＣ−Ｃ線での断面構造を示す概略図
【図８】ＬＥＤ側プラス電極１０がプラス電極配線５に電気的に接続され、ＬＥＤ側マイナス電極１１がマイナス電極配線４に電気的に接続され、裏面側電極配線４ａとマイナス電極配線４とが電気的に接続されたときの付け爪１に形成される電気回路を示す図
【図９】導電確認台１４の斜視図
【図１０】付け爪部材２に発光部材６を取り付けたときの様子を示す平面図
【図１１】分断部分を導電性塗料１７で塗布したときの様子を示す図
【図１２】分断部分を導通させるために使用するシールを示す図
【図１３】暗くなったらＬＥＤ８を光らせるための回路の一例を示す図
【図１４】絶縁タグ２３を利用する場合の付け爪１の底面図
【図１５】雄雌構造を用いて、接続ミスを防止するための構成を示す図
【図１６】必要最低限のプラス電極配線５及びマイナス電極配線４を用いたときの付け爪１の平面図
【図１７】発光部材６を貼り付けることができる位置を示す目印２８，２９を含む付け爪１を示す平面図
【図１８】発光部材６を貼り付ける際に使用する型紙３０を示す図
【図１９】台紙３５に取り付けられた発光部材６を示す図
【図２０】台紙３６に取り付けられた発光部材６を示す図
【図２１】図２０に示す発光部材６を取り付けることができる付け爪１の平面図
【図２２】発光部材６が予め付け爪１に取り付けられている様子を示す図
【図２３】薄板状電池３を交換可能にした場合の付け爪１の構成を示す図
【図２４】電池交換可能にする他の構成を示す図
【図２５】本発明に係る他の実施形態を示す付け爪１ａの斜視図
【図２６】本発明に係る他の実施形態を示す付け爪１ｂの斜視図
【図２７】付け爪部材２として導光板を利用したときの付け爪１ｃを示す斜視図
【図２８】発光部材６として、有機ＥＬを用いたときの付け爪１ｄを示す斜視図
【発明を実施するための形態】
【００５２】
図１は、本発明の実施形態に係る付け爪１の斜視図である。図１において、付け爪１は、付け爪部材２と、薄板状電池３と、マイナス電極配線４と、プラス電極配線５とを備える。付け爪部材２は、人爪に沿った形状を有しており、硬質合成樹脂等で成形されている。付け爪部材２は、マニキュアで表面を塗装することができる材質からなる。薄板状電池３は、可撓性を有する板状の薄型電池である。たとえば、薄板状電池３は、電解質層を正極層と負極層で挟み込むことによって形成される。たとえば、薄板状電池３として、パワーペーパー社の超薄型電池「Ｐｏｗｅｒ  Ｐａｐｅｒ」を用いることができる（特許文献７等参照）。薄板状電池３は、両面テープや接着剤などによって、付け爪部材２の裏面に接着されている。薄板状電池３の人爪側には、両面テープ（図示せず）が貼り付けられる。当該両面テープを人爪に貼り付けることによって、付け爪１が人爪に取り付けられる。なお、接着剤を用いて、付け爪１が人爪に取り付けられても良い。
【００５３】
マイナス電極配線４は、薄板状電池３のマイナス電極と電気的に接続され得る。なお、後述の説明から明らかなように、マイナス電極配線４は、ＬＥＤを光らせる前段階においては、薄板状電池３のマイナス電極とは電気的に接続されていない。そのため、ここでは、「電気的に接続され得る」と表現している。プラス電極配線５は、薄板状電池３のプラス電極と電気的に接続されている。付け爪部材２は、プラス電極配線５であることを示す目印５ａを含む。目印５ａは、図１に示すように、たとえば、三角形であって、目印５ａが示す配線が、プラス電極配線５であることを示す。マイナス電極配線４及びプラス電極配線５は、それぞれ、付け爪部材２の表面に露出している。
【００５４】
図２は、付け爪１の平面図である。図２に示すように、マイナス電極配線４とプラス電極配線５とは、交差しないように形成された櫛状の配線である。好ましくは、マイナス電極配線４及びプラス電極配線５は、導電性塗料が塗布されることによって形成されているとよいが、これに限定されるものではなく、あらゆる周知の配線方法によって形成されている。マイナス電極配線４及びプラス電極配線５の形成方法として、たとえば、スクリーン印刷を用いることができる。デザイン上の観点から、マイナス電極配線４及びプラス電極配線５を形成する導電性塗料の配色と、付け爪部材２の配色とは、略同一であるとよい。これにより、マイナス電極配線４及びプラス電極配線５が目立たなくなる。また、マイナス電極配線４及びプラス電極配線５は、上からマニキュアで塗装することが可能な材質であるとよい。
【００５５】
図３は、付け爪１の底面図である。図３に示すように、マイナス電極配線４は、付け爪部材２の裏面にまで、伸びている。図３では、付け爪部材２の表面に形成されたマイナス電極配線４が付け爪部材２の先端まで伸び、先端で折り返して、裏面にまで伸びていることとしている。ただし、これに限定されるものではなく、表面のマイナス電極配線４と裏面のマイナス電極配線４とを電気的に接続するために、付け爪部材２に導電性物質で埋められた孔が形成されていてもよい。その他、表面と裏面とを導通させるあらゆる手法を用いることができる。また、プラス電極配線５も、マイナス電極配線４と同様に、付け爪部材２の裏面にまで伸びている。裏面のプラス電極配線５の形成方法は、裏面のマイナス電極配線４の形成方法と同様である。
【００５６】
薄板状電池３は、付け爪部材２側に、マイナス電極３ａと、プラス電極３ｂとを含む。プラス電極３ｂは、プラス電極配線５と電気的に接続される。マイナス電極３ａは、裏面側電極配線４ａと電気的に接続される。裏面側電極配線４ａは、マイナス電極３ａと電気的に接続されている。裏面側電極配線４ａは、付け爪部材２の裏面で露出している。ＬＥＤを取り付けて発光させる際、裏面側電極配線４ａとマイナス電極配線４とは、導電性材料によって、電気的に接続される。
【００５７】
図４は、図２におけるＡ−Ａ線での断面構造を示す概略図である。図４に示すように、マイナス電極配線４及びプラス電極配線５は、付け爪部材２の表面で露出している。図５は、図２におけるＢ−Ｂ線での断面構造を示す概略図である。図５に示すように、プラス電極３ｂとプラス電極配線５とは、電気的に接続されている。裏面側電極配線４ａとマイナス電極３ａとについても、図５と同様、電気的に接続されている。
【００５８】
図６は、付け爪１に取り付けられる発光部材６の平面図である。なお、図６では、内部の電気的構造が分かるように、定電流ダイオード７及びＬＥＤ８を模式的に記載している。図６において、発光部材６は、定電流ダイオード７と、ＬＥＤ８と、目印９と、ＬＥＤ側プラス電極１０と、ＬＥＤ側マイナス電極１１とを含む。図７は、図６におけるＣ−Ｃ線での断面構造を示す概略図である。発光部材６の本体は、合成樹脂等によって成形されており、基板１２上に形成された定電流ダイオード７及びＬＥＤ８を封入している。ＬＥＤ８は、たとえば、小型のチップ型ＬＥＤである。ＬＥＤ側プラス電極１０及びＬＥＤ側マイナス電極１１は、基板１２の裏面に形成されている。ＬＥＤ側プラス電極１０及びＬＥＤ側マイナス電極１１は、発光部材６の裏面から露出している。発光部材６の裏面において、ＬＥＤ側プラス電極１０及びＬＥＤ側マイナス電極１１以外の部分は、両面テープ１３などの接着剤が塗布されている。なお、図６において、発光部材６は、略平板であるとしているが、付け爪部材２の形状に沿った形状を有していても良い。目印９は、ＬＥＤ側プラス電極１０の位置を示す。発光部材６は、シール台紙などの上に少なくとも一以上貼り付けられて、ユーザに提供されると良い。発光部材６の形状やサイズは、特に限定されるものではなく、あらゆる絵柄、図形、キャラクター、文字、立体形状、幾何学模様等を発光部材６にあしらってよい。
【００５９】
ＬＥＤ側プラス電極１０は、プラス電極配線５に電気的に接続可能である。ＬＥＤ側マイナス電極１１は、マイナス電極配線４に電気的に接続可能である。図８は、ＬＥＤ側プラス電極１０がプラス電極配線５に電気的に接続され、ＬＥＤ側マイナス電極１１がマイナス電極配線４に電気的に接続され、裏面側電極配線４ａとマイナス電極配線４とが電気的に接続されたときの付け爪１に形成される電気回路を示す図である。図８に示すように、定電流ダイオード７とＬＥＤ８とが、直列に接続される。定電流ダイオード７によって、ＬＥＤ８に一定の電流が加えられる。そのため、たとえ、複数の発光部材６が付け爪部材２に取り付けられたとしても、各ＬＥＤ８には、一定の電流が流れるので、各ＬＥＤ８の輝度は落ちることがない。なお、単に、ＬＥＤ８を発光させるだけでよいならば、適切な抵抗値を有する抵抗を定電流ダイオード７に置き換えて設けてもよい。また、定電流回路は、定電流ダイオード７に限定されるものではなく、トランジスタなどを用いた定電流回路であってもよい。
【００６０】
次に、付け爪１及び発光部材６の使用方法について説明する。まず、使用者は、発光部材６が取り付けられる前の付け爪１を導電確認台１４の上に載せる。図９は、導電確認台１４の斜視図である。導電確認台１４は、付け爪部材２の裏面と略同一の形状で湾曲した面１５に、裏面側電極配線４ａとマイナス電極配線４とを電気的に分断する分断部分に対応する箇所に導電性材料１６を露出している。導電性材料１６は、金属によって形成されていてもよいし、導電性塗料によって形成されていてもよい。なお、面１５は、付け爪部材２を動きにくくするために、ゴムなどの摩擦力の強い素材で形成されているとよい。また、面１５の表面に、弱粘着剤が塗布されていて、付け爪部材２を仮止めできるようにしてもよい。
【００６１】
次に、使用者は、台紙（図示せず）から好みの発光部材６を取り外す。このとき、目印５ａが示す配線と目印９が示す配線とが重なるように、付け爪部材２に発光部材６を取り付ける。このとき、分断部分は、導電性材料１６によって導通状態となっている。したがって、発光部材６を適切な位置に載せた場合、ＬＥＤ８は光ることとなる。なお、プラスマイナスを逆にすると、ＬＥＤ８は光らないので、取り付け位置が間違っていることに、使用者は気づく。
【００６２】
図１０は、付け爪部材２に発光部材６を取り付けたときの様子を示す平面図である。図１０において、見やすくするために、マイナス電極配線４、プラス電極配線５、及び目印５ａは、点線で示している。図１０に示すように、目印５ａが示すプラス電極配線５と、目印９が示すＬＥＤ側プラス電極１０とが重なるように、発光部材６を付け爪部材２の表面に貼り付ける。これによって、プラス電極配線５とＬＥＤ側プラス電極１０とが電気的に接続され、かつ、マイナス電極配線４とＬＥＤ側マイナス電極１１とが電気的に接続される。図１０に示すように、複数の発光部材６が付け爪部材２の表面に取り付けられても良い。目印５ａ及び９によって、プラスマイナスを逆に取り付けることが防止される。
【００６３】
ＬＥＤ側プラス電極１０及びＬＥＤ側マイナス電極１１の長さｅ（図６参照）は、隣接するプラス電極配線５とマイナス電極配線４との間隔ｄ（図２参照）よりも短い。そのため、ＬＥＤ側プラス電極１０又はＬＥＤ側マイナス電極１１が、隣接するプラス電極配線５とマイナス電極配線４との間を跨ぐことはない。これによって、ショートが防止される。
【００６４】
このようにして、適切な位置に、発光部材６が取り付けられる。その後、付け爪１を導電確認台１４から離すと、分断部分の導通が解除され、ＬＥＤ８の発光が停止する。その後、別な発光部材６を取り付ける予定がないのであれば、使用者は、付け爪部材２の表面を、好きな色のマニキュアで塗布して、表面を絶縁する。なお、絶縁工程は、必須の工程ではない。適宜、付け爪１は、人爪に接着される。
【００６５】
付け爪１は、通常、暗所で光ってこそ、遊び感覚やデザイン性を得られるのである。したがって、薄板状電池３の消耗を考慮すると、付け爪１を使用しない状態では、付け爪１は光っていない方が好ましい。そのため、本実施形態では、分断部分を設けることとした。ただし、薄板状電池３の容量が十分であれば、分断部分を設けることは必須ではない。
【００６６】
次に、ＬＥＤ８を光らせる方法について説明する。使用者は、ＬＥＤ８を光らせたくなったら、マイナス電極配線４と裏面側電極配線４ａとの間の分断部分を導電性塗料で塗布する。このような導電性塗料は、マニキュアの瓶などのように、蓋に刷毛を取り付けている小瓶に収容されており、持ち運びが容易な導通用塗料セットとなっている。たとえば、使用者がディスコ開場や祭り会場でＬＥＤ８を光らせたいと思った場合、当該小瓶を取り出して、分断部分を導電性塗料で塗布すれば、予め取り付けられていた発光部材６内のＬＥＤ８が光る。図１１は、分断部分を導電性塗料１７で塗布したときの様子を示す図である。なお、このとき、予め付け爪１を人爪に取り付けた状態で、分断部分を塗布してもよいし、分断部分を塗布した状態で、付け爪１を人爪に取り付けても良い。
【００６７】
このように、本実施形態によれば、安価な部材を用いて光る付け爪を提供することが可能となる。
【００６８】
（変形例）
以下、本実施形態の変形例について説明する。上記実施形態では、分断部分を導通させるために、導電性塗料を塗布することとしたが、これに限られるものではない。図１２は、分断部分を導通させるために使用するシールを示す図である。図１２において、シール１８は、剥離紙２０の上に、貼り付けられている。シール１８は、剥離紙２０側に、導電性材料１９を含む。なお、図１２では、分かりやすくするために、導電性材料１９の部分を白抜きにしている。シール１８は、導電性材料１９の周りに、接着剤（図１２上、黒い部分）を塗布している。当該接着剤は、シール１８が付け爪部材２に貼り付けられたとしても剥離可能な素材からなるとよい。シール１８を剥離紙２０から剥がし、導電性材料１９が分断部分を跨ぐように、シール１８が付け爪部材２の裏面に貼り付けられる。これにより、分断部分を導電性塗料で塗布した場合と同様に、回路が導通し、ＬＥＤが光ることとなる。なお、分断部分を導通させるための導電性材料は、上記以外にあらゆる周知の手段であってよい。
【００６９】
上記実施形態では、発光部材６を付け爪部材２の表面に貼り付けた後、分断部分を導通させることとした。しかし、分断部分は、予め導通しており、光らせたいときに、発光部材６を付け爪部材２の表面に貼り付けても良い。
【００７０】
発光部材６は、所定の条件でＬＥＤ８を光らせることができるセンサ部を含んでもよい。たとえば、センサ部は、暗くなったらＬＥＤ８を光らせる光センサ部であるとよい。図１３は、暗くなったらＬＥＤ８を光らせるための回路の一例を示す図である。図１３に示す回路の内、ＬＥＤ８及び定電流ダイオード７以外の回路は、発光部材６の内部に形成されている場合に限らず、付け爪１の表面又は内部に形成されていてもよい。図１３に示すように、トランジスタ２２のベースに光導電セル（ｃｄｓ）２１を接続し、暗くなったら、光導電セル２１の抵抗が大きくなり、ＬＥＤ８が光る。その他、センサ部として、ある一定の温度でＬＥＤ８を光らせる温度センサ部や、携帯電話の電波に応じてＬＥＤ８を光らせる回路や、ある一定以上の音に反応してＬＥＤ８を光らせる音センサ部や、磁気に反応してＬＥＤ８を光らせる磁器センサ部などが用いられるとよい。これらのセンサ部を実現するための構成は、周知の回路を用いて実現可能である。
【００７１】
発光部材６は、スイッチを含んでもよい。これにより、分断部分を設けなくても、スイッチのオンオフによって、ＬＥＤ８を光らせることができる。このようなスイッチは、デザイン上、小型であるほどよい。したがって、針や爪楊枝のように、先端が尖った部材で、当該スイッチがオンオフされてもよい。
【００７２】
本実施形態では、電池の消耗を考慮して、必要なときのみ分断部分を導通させて、ＬＥＤを光らせることとした。しかし、絶縁タグを用いて、電池と配線とを分断してもよい。図１４は、絶縁タグ２３を利用する場合の付け爪１の底面図である。薄板状電池３は、マイナス電極３ａとして、板バネを折り曲げた電極を用いている。絶縁タグ２３が板バネとマイナス電極配線４との間に挿入さているときは、絶縁されて、ＬＥＤは光らない。一方、絶縁タグ２３が抜き取られたら、板バネが開いて、板バネとマイナス電極配線４とが導通し、ＬＥＤが光る。ＬＥＤが光るのを停止したい場合は、再度、絶縁タグ２３を挿入すればよい。
【００７３】
本実施形態では、目印を用いて、接続ミスを防止することとしたが、接続ミスを防止するための構成は、これに限られるものではない。図１５は、雄雌構造を用いて、接続ミスを防止するための構成を示す図である。図１５（ａ）は、付け爪部材２の表面に、複数の凹部２４を有する付け爪１の平面図である。図１５（ｂ）は、図７に相当する断面図である。図１５（ｂ）に示すように、発光部材６は、裏面に、凸部２５を含む。凹部２４と凸部２５とは、嵌合可能な大きさである。また、図１５に示すように、凹部２４と凸部２５とは、方向性（ここでは、三角形の頂点の向き）を有している。したがって、決められた向きに、凹部２４と凸部２５とを嵌め合わせたときのみ、発光部材６を付け爪部材２に取り付けることができる。これにより、接続ミスが防止される。
【００７４】
本実施形態では、プラス電極配線５及びマイナス電極配線４は、それぞれ、櫛状であるとしたが、これに限られるものではない。図１６は、必要最低限のプラス電極配線５及びマイナス電極配線４を用いたときの付け爪１の平面図である。図１６に示すように、プラス電極配線５及びマイナス電極配線４は、付け爪部材２の表面に露出さえしていればよい。露出しているプラス電極配線５及びマイナス電極配線４と、ＬＥＤ側プラス電極１０及びＬＥＤ側マイナス電極１１とが、それぞれ接続されるように、使用者自らが導電性塗料を塗布して、マイナス配線２６及びプラス配線２７を形成してもよい。なお、図１６において、発光部材６の電気的関係は、プラスマイナスが図６の場合と比べて、逆になっている。なお、ここでは、目印９は、付け爪１の先端方向を示している。
【００７５】
図１７は、発光部材６を貼り付けることができる位置を示す目印２８，２９を含む付け爪１を示す平面図である。図１７に示すように、発光部材６を貼り付けることができる位置を、点線や細線、薄い色の線などで付け爪部材２の表面に記載しておき、当該目印２８，２９の上に、発光部材６を貼り付けるようにすれば、接続ミスが防止される。
【００７６】
図１８は、発光部材６を貼り付ける際に使用する型紙３０を示す図である。型紙３０は、剥離紙３１に、弱粘着性接着剤で貼り付けられている。型紙３０は、指で破ることができる材質で形成されている。型紙３０は、付け爪部材２と略同一の形状を有している。型紙３０は、付け爪部材２の表面に貼り付けることができると共に、容易に剥がすことができる。型紙３０は、一組のプラス電極配線５及びマイナス電極配線４を露出させるための少なくとも一つの孔３２を有する。型紙３０を付け爪部材２の表面に貼り付け、孔３２から露出している一組のプラス電極配線５及びマイナス電極配線４に、上下の向きを間違わないように、発光部材６を貼り付ける。一以上の発光部材６を貼り付けた後、型紙３０を剥がせば（又は破って剥がせば）、発光部材６が適切に接続された付け爪１が得られる。このように、くり抜かれた型紙３０を用いて、プラス電極配線５及びマイナス電極配線４のペアを明らかにすれば、接続ミスを防止することができる。
【００７７】
図１９は、台紙３５に取り付けられた発光部材６を示す図である。図１９（ａ）は、平面図で、図１９（ｂ）は、正面図である。発光部材６は、ＬＥＤ側プラス電極１０及びＬＥＤ側マイナス電極１１を、台紙３５から露出させるように、台紙３５に貼り付けられている。台紙３５の底面は、接着剤が塗布されている。図示していないが、台紙３５は、別の台紙の上に、剥離可能に保持されている。台紙３５は、透明又は半透明の合成樹脂で形成されたフィルムである。台紙３５は、プラス電極配線５と重なるように印刷された目印３４と、マイナス電極配線４と重なるように印刷された目印３３とを含む。目印３４と目印３３との間隔は、隣接するプラス電極配線５とマイナス電極配線４との間隔に等しい。使用者は、目印３４と目印３３とが、プラス電極配線５とマイナス電極配線４とに重なるように、台紙３５を付け爪部材２の表面に貼り付ける。これにより、発光部材６が適切に接続されることとなり、接続ミスが防止される。
【００７８】
図２０は、台紙３６に取り付けられた発光部材６を示す図である。図２０（ａ）は、平面図で、図２０（ｂ）は、正面図である。発光部材６は、ＬＥＤ側プラス電極１０及びＬＥＤ側マイナス電極１１を、台紙３６から露出させるように、台紙３６に貼り付けられている。台紙３６の底面は、接着剤が塗布されている。図示していないが、台紙３６は、別の台紙の上に、剥離可能に保持されている。台紙３６は、透明又は半透明の合成樹脂で形成されたフィルム又は付け爪部材２と略同一色のフィルムである。台紙３６は、ＬＥＤ側マイナス電極１１と電気的に接続される配線３７と、ＬＥＤ側プラス電極１０と電気的に接続される配線３８とを、裏面に形成している。配線３７及び３８は、導電性塗料によって形成されていてもよいし、金属箔によって形成されていてもよいし、その他あらゆる周知の方法で形成され得る。図２１は、図２０に示す発光部材６を取り付けることができる付け爪１の平面図である。図２１に示すように、付け爪部材２の表面には、プラス電極配線５及びマイナス電極配線４が、爪の付け根部分から爪の先端方向に向けて、略平行に配線されている。図２１に示すように、プラス電極配線５とＬＥＤ側プラス電極１０とは、配線３８を介して、電気的に接続される。一方、マイナス電極配線４とＬＥＤ側マイナス電極１１とは、配線３７を介して、電気的に接続される。これにより、発光部材６が適切に接続されることとなり、接続ミスが防止される。
【００７９】
本実施形態では、使用者が使用時に発光部材６を付け爪１に取り付けることとしたが、工場出荷段階や、小売店販売段階等で、予め発光部材６が付け爪１に取り付けられていても良い。図２２は、発光部材６が予め付け爪１に取り付けられている様子を示す図である。発光部材６が予め付け爪１に取り付けられている場合、図２２に示すように、付け爪部材２の表面に露出しているプラス電極配線５及びマイナス電極配線４は、必要最小限の配線で十分である。なお、図２２において、発光部材６におけるプラスマイナスの関係は、図６の場合と逆になっている。
【００８０】
本実施形態の付け爪１において、薄板状電池３を交換可能にするようにしてもよい。図２３は、薄板状電池３を交換可能にした場合の付け爪１の構成を示す図である。図２３（ａ）は、付け爪部材２の裏面（人爪側）を示す図である。図２３（ｂ）は、薄板状電池３の付け爪部材２側を示す図である。図２３（ａ）に示すように、付け爪部材２の裏面には、マイナス電極配線４と、プラス電極配線５と、裏面側電極配線４ａとが形成されている。薄板状電池３は、付け爪部材２側の面に、マイナス電極３ａと、プラス電極３ｂとを露出させており、さらに、剥離可能な接着材３ｃを塗布している。マイナス電極３ａと裏面側電極配線４ａとが電気的に接続し、かつプラス電極３ｂとプラス電極配線５とが電気的に接続するように、薄板状電池３は、付け爪部材２に取り付けられる。これにより、薄板状電池３を付け爪部材２から取り外し可能にして、電池交換を実現できる。図２３に示す付け爪１を用いる場合、分断部分を導電性塗料で塗装してしまうと、電池交換した場合、いきなり、ＬＥＤが光ることになるので、好ましくは、分断部分は、図１２に示すようなシール１８を用いて、剥離可能に接続されるとよい。
【００８１】
図２４は、電池交換可能にする他の構成を示す図である。図２４（ａ）は、付け爪部材２の裏面（人爪側）を示す図である。図２４（ｂ）は、第一回目に用いる薄板状電池３−１を示す図である。図２４（ｃ）は、第二回目に用いる薄板状電池３−２を示す図である。図２４（ｄ）は、第三回目に用いる薄板状電池３−３を示す図である。図２３に示す付け爪１と同一の機能を有する部分については、同様の参照符号を付す。
【００８２】
まず、第一回目の薄板状電池３−１が付け爪部材２に貼り付けられる。このとき、マイナス電極３ａ−１と裏面側電極配線４ａ−１とが電気的に接続され、かつ、マイナス電極配線４−１と裏面側電極配線４ａ−１とが導電性塗料によって電気的に接続されて使用される。薄板状電池３−１が消耗して、薄板状電池３−１を剥がした後、第二回目の薄板状電池３−２が付け爪部材２に貼り付けられる。このとき、マイナス電極３ａ−２と裏面側電極配線４ａ−２とが電気的に接続され、かつ、マイナス電極配線４−２と裏面側電極配線４ａ−２とが導電性塗料によって、電気的に接続されて使用される。薄板状電池３−２が消耗して、薄板状電池３−２を剥がした後、第３回目の薄板状電池３−３が付け爪部材２に貼り付けられる。このとき、マイナス電極３ａ−３と裏面側電極配線４ａ−３とが電気的に接続され、かつ、マイナス電極配線４−３と裏面側電極配線４ａ−３とが導電性塗料によって、電気的に接続されて使用される。このように、薄板状電池のマイナス電極は、電池の交換回数に応じて、異なる位置に薄板状電池から露出している。そして、付け爪１は、電池交換の回数に応じて、マイナス電極３ａ−１，３ａ−２，３ａ−３と電気的に接続される複数の裏面電極配線４ａ−１，４ａ−２，４ａ−３を備える。複数の裏面電極配線４ａ−１，４ａ−２，４ａ−３と、マイナス電極配線４とは、電気的に分断されている。これにより、導電性塗料で分断部分を塗布したとしても、電池交換の度に新たな分断部分が形成されるので、当該新たな分断部分を導電性塗料で塗装して導通させれば、再利用が可能となる。
【００８３】
図２５は、本発明に係る他の実施形態を示す付け爪１ａの斜視図である。図２５において、付け爪１ａは、付け爪部材２と、薄板状電池３と、定電流ダイオード７とＬＥＤ８とを有する発光部材６と、プラス電極配線５と、マイナス電極配線４とを備える。付け爪部材２は、人爪に沿った形状を有する。薄板状電池３は、付け爪部材２の裏面に貼り付けられている。薄板状電池３は、付け爪部材２との間に、マイナス電極３ａ及びプラス電極３ｂを有する。発光部材６の定電流ダイオード７及びＬＥＤ８からは、プラス電極配線５と、マイナス電極配線４とが伸びている。プラス電極配線５は、付け爪部材２を貫通して、付け爪部材２の裏面に沿って配線されており、プラス電極３ｂに電気的に接続される。なお、プラス電極配線５は、付け爪部材２の表面に一部が露出していても良いし、全てが絶縁体などで覆われていても良いし、付け爪部材２内に埋め込まれていても良い。マイナス電極配線４は、付け爪部材２を貫通して、付け爪部材２の裏面に沿って配線されており、マイナス電極３ａに電気的に接続され得る。なお、マイナス電極配線４は、付け爪部材２の表面に一部が露出していても良いし、全てが絶縁体などで覆われていても良いし、付け爪部材２内に埋め込まれていても良い。マイナス電極配線４とマイナス電極３ａとは、タグなどで、使用時にのみ電気的に接続される。逆に、プラス電極配線５とプラス電極３ｂとは、タグなどで、使用時にのみ電気的に接続されても良い。タグを用いた電気的接続については、周知のあらゆる手段を用いることができる。このように、図２５に係る付け爪１ａは、最初から発光部材６を備えており、暗所でも光り、安価に提供される。
【００８４】
図２６は、本発明に係る他の実施形態を示す付け爪１ｂの斜視図である。図２６において、図２５と異なる点は、マイナス電極配線４の構成である。図２６において、マイナス電極配線４は、マイナス電極３ａ及び裏面側電極配線４ａと電気的に分断されるように、付け爪部材２の表面から裏面に貫通して配線されている。なお、マイナス電極配線４は、付け爪部材２の表面に一部が露出していても良いし、全てが絶縁体などで覆われていても良いし、付け爪部材２内に埋め込まれていても良い。使用時、図１１や図１２に示すように、導電性塗料や導電性シールを利用して、マイナス電極配線４と裏面側電極配線４ａとが電気的に接続されるとよい。これにより、簡易な構成で、使用時にのみ光らせることができる付け爪１ｂが提供される。なお、プラスマイナスが逆でも良い。
【００８５】
なお、図２５、２６において、発光部材６は、一定の形状（たとえば、ここでは、星形）を有することとしたが、これに限られるものではない。発光部材６は、定電流ダイオード７及びＬＥＤ８が付け爪部材２に埋め込まれて、一定の形状を有することなく形成されていても良い。また、一定の形状を有する発光部材６が、付け爪部材２に埋め込まれても良い。また、付け爪部材２が内部に空洞を有する部材からなり、当該内部に発光部材６が設けられても良い。
【００８６】
図２７は、付け爪部材２として導光板を利用したときの付け爪１ｃを示す斜視図である。付け爪部材２を導光板にして、ＬＥＤ８を付け爪部材２の端部に埋め込めば、付け爪部材２の表面が全体的に光り、優れた装飾効果が得られる。なお、ＬＥＤ８は、付け爪部材２の端部に取り付けられても良い。
【００８７】
図２８は、発光部材６として、有機ＥＬを用いたときの付け爪１ｄを示す斜視図である。発光部材６は、有機ＥＬであって、図示を省略するプラス電極配線によってプラス電極３ｂに接続され、かつ、図示を省略するマイナス電極配線によってマイナス電極３ａと電気的に接続され得る。電源のオンオフは、上記に示したような方法（導電塗料や導電シール、電池タグなど）で実現可能である。発光部材６は、付け爪部材２と薄板状電池３との間に挟まれている。これにより、発光部材６が発光すると、付け爪部材２の表面が全体的に光り、優れた装飾効果が得られる。なお、有機ＥＬである発光部材６は、付け爪部材２の先端にまで伸びていても良い。
【００８８】
このように、発光部材６は、発光ダイオードでも良いし、有機ＥＬでも良く、発光部として機能する。
【００８９】
なお、図２５〜２８において、図２３及び図２４に示したような電池の交換構造を採用することができる。また、マイナス電極３ａ及びプラス電極３ｂは、図示したような配置に限られるものではなく、マイナス電極配線４及びプラス電極配線５が短くなるように、適切な位置に配置されていても良い。
【００９０】
なお、上記全ての実施形態において、プラスとマイナスとが逆の構成であってもよいことは、言うまでもない。
【００９１】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００９２】
本発明によって、光る付け爪が提供される。
【符号の説明】
【００９３】
１，１ａ，１ｂ，１ｃ，１ｄ  付け爪
２  付け爪部材
３  薄板状電池
３ａ  マイナス電極
３ｂ  プラス電極
４  マイナス電極配線
４ａ  裏面側電極配線
５  プラス電極配線
５ａ  目印
６  発光部材
７  定電流ダイオード
８  ＬＥＤ
９  目印
１０  ＬＥＤ側プラス電極
１１  ＬＥＤ側マイナス電極
１２  基板
１４  導電確認台
１５  面
１６  導電性材料
１７  導電性塗料
１８  シール
１９  導電性材料
２０  剥離紙
２１  光導電セル
２２  トランジスタ
２３  絶縁タグ
２４  凹部
２５  凸部
２６  マイナス配線
２７  プラス配線
２８，２９  目印
３０  型紙
３１  剥離紙
３２  孔
３３，３４  目印
３５，３６  台紙
３７，３８  配線
３−１  第一回目に用いる薄板状電池
３−２  第二回目に用いる薄板状電池
３−３  第三回目に用いる薄板状電池
３ａ−１  マイナス電極
４ａ−１  裏面側電極配線
３ａ−２  マイナス電極
４ａ−２  裏面側電極配線
３ａ−３  マイナス電極
４ａ−３  裏面側電極配線
【図１】
2009268893.tif 000003
【図２】
2009268893.tif 000004
【図３】
2009268893.tif 000005
【図４】
2009268893.tif 000006
【図５】
2009268893.tif 000007
【図６】
2009268893.tif 000008
【図７】
2009268893.tif 000009
【図８】
2009268893.tif 000010
【図９】
2009268893.tif 000011
【図１０】
2009268893.tif 000012
【図１１】
2009268893.tif 000013
【図１２】
2009268893.tif 000014
【図１３】
2009268893.tif 000015
【図１４】
2009268893.tif 000016
【図１５】
2009268893.tif 000017
【図１６】
2009268893.tif 000018
【図１７】
2009268893.tif 000019
【図１８】
2009268893.tif 000020
【図１９】
2009268893.tif 000021
【図２０】
2009268893.tif 000022
【図２１】
2009268893.tif 000023
【図２２】
2009268893.tif 000024
【図２３】
2009268893.tif 000025
【図２４】
2009268893.tif 000026
【図２５】
2009268893.tif 000027
【図２６】
2009268893.tif 000028
【図２７】
2009268893.tif 000029
【図２８】
2009268893.tif 000030